(57)【要約】【課題】撮像装置を三脚に固定する場合には、グリップベルト兼ハンドストラップ装置を撮像装置から取り外す構成である。【解決手段】グリップベルト兼ハンドストラップ装置２の絞り部７を回転自在に係合するネジ８に雄ネジ部と雌ネジ部とを設け、ネジ８における雌ネジ部の径を三脚２１が備える雄ネジに螺合する径とし、ネジ８における雄ネジ部の径を撮像装置本体３が備える雌ネジに螺合する径とした撮像装置の構成である。この撮像装置により、ネジ８を撮像装置本体３に螺合した状態で撮像装置本体３を三脚２１に固定することができるため、容易に三脚２１に螺合固着できる。【選択図】図５
2008216533.tif 000002
【特許請求の範囲】
【請求項１】
撮像装置用三脚の雄螺子に螺合する雌螺子部と、撮像装置本体の雌螺子に螺合する雄螺子部とを有し、前記雌螺子部と前記雄螺子部とを同一螺合軸に形成した螺子と、
前記螺子が係合されている環状の紐部と
を備える吊下げ装置。
【請求項２】
前記雄螺子部の外径と前記雌螺子部の内径とは異なることを特徴とする請求項１記載の吊下げ装置。
【請求項３】
前記螺子の前記雌螺子部と前記三脚の雄螺子との締結を解除する締結解除部材を、前記紐部に備えることを特徴とする請求項１又は２いずれかに記載の吊下げ装置。
【請求項４】
前記締結解除部材の解除部が係合する窪み部を前記雄螺子部の側面に備える胴部に備えることを特徴とする請求項３記載の吊下げ装置。
【発明の詳細な説明】
【技術分野】
【０００１】
本発明は、電子機器を保持する為に設けられた電子機器吊下げ装置に関するものである。
【背景技術】
【０００２】
近年、電子機器吊下げ装置は、電子機器の小型化の中で多目的に使用できる自在性が要求されている。使用法としては、電子機器本体の一種であるビデオカメラの筐体を使用者が手でグリップした際に、手を筐体に所定圧力で保持してグリップ状態を良好に保つグリップベルト機能と、使用者が筐体を持って移動する際に、ループ状のベルト又は紐に使用者の手首を通すなどして持ちやすいようにしたハンドストラップ機能とがあり、またその両方の機能を併せ持つグリップベルトの構成がある。
【０００３】
グリップベルト兼ハンドストラップとして使用可能な従来技術として、特開２００２−１９６４１２号公報がある。図１５は、従来のグリップベルト兼ハンドストラップ装置をグリップベルトとして使用している状態の斜視図である。図１６は、従来のグリップベルト兼ハンドストラップ装置をハンドストラップとして使用している状態の斜視図である。
【０００４】
従来の撮像装置３１は、撮像装置本体３０とグリップベルト兼ハンドストラップ装置２６とからなっている。グリップベルト兼ハンドストラップ装置２６は紐部２７と雄ネジ２８とからなっている。撮像装置本体３０には雌ネジ２９と挿通部３２が設けられている。グリップベルト兼ハンドストラップ装置２６は撮像装置本体３０の挿通部３２にグリップベルト兼ハンドストラップ装置２６の紐部２７を挿通し、当該紐部２７の両端を雄ネジ２８に固定し、紐部２７を環状にすることにより、撮像装置本体３０に固定されている。また、撮像装置本体３０に設けられた雌ネジ２９は、三脚の雄ネジと螺合する。従って、撮像装置本体３０の雌ネジ２９にグリップベルト兼ハンドストラップ装置２６の雄ネジ２８が螺合されていなければ、雌ネジ２９に三脚の雄ネジを螺合することにより、撮像装置３１を不図示の三脚に固定し、映像を撮影することができる。
【０００５】
グリップベルト兼ハンドストラップ装置２６の雄ネジ２８を撮像装置本体３０の雌ネジ２９に螺合することによりできた空間３６に手を挿入し、手で撮像装置本体３０を手の平で把持し、グリップベルト兼ハンドストラップ装置によって手の甲を締め付けることにより、図１５のようにグリップベルト兼ハンドストラップ装置２６をグリップベルト状態で使用することができる。
【０００６】
一方、グリップベルト兼ハンドストラップ装置２６の雄ネジ２８を撮像装置本体３０の雌ネジ２９に螺合せず、環状である紐部２７の環の中に手首を挿入し、手で撮像装置本体３０若しくは紐部２７を保持することにより、図１６のようにグリップベルト兼ハンドストラップ装置２６をハンドストラップ状態で使用することができる。この際、撮像装置本体３０を保持すれば、撮像装置３１がより安定し、不意に撮像装置３１が障害物に衝突させてしまうようなことを防止できる。
【特許文献１】特開２００２−１９６４１２号公報
【発明の開示】
【発明が解決しようとする課題】
【０００７】
しかし、従来技術においては、グリップベルト兼ハンドストラップ装置２６をグリップベルトとして使用している際に、撮像装置３１を三脚に固定して撮影したいと考えた場合には、グリップベルト兼ハンドストラップ装置２６の雄ネジ２８を撮像装置本体３０の雌ネジ２９から外し、撮像装置本体３０の雌ネジ２９に三脚の雄ネジを螺合することが必要であり、非常に煩雑であった。
【０００８】
本発明は、上記問題点を解決するもので、グリップベルト兼ハンドストラップ装置をグリップベルトとして使用している際に、その状態のまま簡単に三脚に固定することができる撮像装置を提供することを目的とする。
【課題を解決するための手段】
【０００９】
この目的を達成するために本発明に係る吊下げ装置は、撮像装置用三脚の雄螺子に螺合する雌螺子部と、撮像装置本体の雌螺子に螺合する雄螺子部とを有し、前記雌螺子部と前記雄螺子部とを同一螺合軸に形成した螺子と、前記螺子が係合されている環状の紐部とを備えることを特徴としている。
【発明の効果】
【００１０】
本発明により、グリップベルト兼ハンドストラップ装置をグリップベルトとして使用している際に、その状態のまま簡単に三脚に固定することができる撮像装置を提供することができる。
【発明を実施するための最良の形態】
【００１１】
本発明の吊下げ装置は、撮像装置用三脚の雄螺子に螺合する雌螺子部と、撮像装置本体の雌螺子に螺合する雄螺子部とを有し、前記雌螺子部と前記雄螺子部とを同一螺合軸に形成した螺子と、前記螺子が係合されている環状の紐部とを備える。この構成により、機器吊下げ装置をグリップベルトとして使用している際に、その状態のまま簡単に三脚に固定することができる。
【００１２】
また、本発明の吊下げ装置は、さらに、前記雄螺子部の外径と前記雌螺子部の内径とは異なることを特徴とする。この構成により、撮像装置本体に直接三脚を取り付けることを防止することにより、モニターの開閉を常に容易に行うことができる。
【００１３】
また、本発明の吊下げ装置は、さらに、前記螺子の前記雌螺子部と前記三脚の雄螺子との締結を解除する締結解除部材を、前記紐部に備える。この構成により、三脚とネジとの螺合を解除することができ、例えば、撮像装置本体とネジとの螺合締結が解除され、三脚に対し締結している螺子を簡単に外すことができる。
【００１４】
また、本発明の吊下げ装置は、さらに、前記締結解除部材の解除部が係合する窪み部を前記雄螺子部の側面に備える胴部に備えることを特徴とする。この構成により、撮像装置を一度三脚に固定し、当該撮像装置を取り外そうとした際に、撮像装置と螺子の雄螺子部との螺合部で外れ、この螺子が三脚に残ってしまったとしても、螺子の窪み部に解除部を係合させ、締結解除部材を回転することにより、螺子を三脚から容易に取り外すことができる。
【００１５】
以下、本発明の最良の一実施形態について説明する。
【００１６】
（実施の形態１）
図１は、本実施の形態のグリップベルト兼ハンドストラップ装置がハンドストラップ状態で用いられている撮像装置の斜視図である。撮像装置１は、グリップベルト兼ハンドストラップ装置２と撮像装置本体３とからなっている。グリップベルト兼ハンドストラップ装置２と撮像装置本体３とは、撮像装置本体３のベルト係合部４で係合固定されている。また、撮像装置本体３には本体雌ネジ部５が設けられている。グリップベルト兼ハンドストラップ装置２は、紐部６と絞り部７と本体固定部４１とネジ８とからなっている。
【００１７】
ここで、環状に構成されたグリップベルト兼ハンドストラップ装置２の環３７の中に手首を挿通し、手で紐部６若しくは撮像装置本体３を把持することにより、当該グリップベルト兼ハンドストラップ装置２をハンドストラップとして使用することができる。この際、撮像装置本体３を保持すれば、不用意に周りの異物等に衝突することを防止できる。
【００１８】
次に図２Ａ、図２Ｂを用いて撮像装置１を構成する撮像装置本体３及びグリップベルト兼ハンドストラップ装置２について詳細に説明する。図２Ａは、本実施の形態の撮像装置本体３の斜視図である。図２Ａに示す通り、撮像装置本体３は、撮影開始ボタン４６、撮影開始ボタン４６の対抗面に設けられたレンズ４７、ベルト係合部４を備える。撮影開始・停止ボタン４６を押圧することにより、レンズ４７から取り込まれた映像の撮影が開始され、当該映像情報の不図示の記録媒体への記録が開始される。図２Ｂは、本実施の形態のグリップベルト兼ハンドストラップ装置２の斜視図である。前述した通り、グリップベルト兼ハンドストラップ装置２は、紐部６と絞り部７と本体固定部４１とからなり、絞り部７の筒部１０に紐部６を挿通することにより、絞り部７は、紐部６に対して任意の位置で保持される。従って、環３７に挿通されたユーザーの手首の太さに合わせて、絞り部７の位置を変化させ、環３７の大きさを調整することができ、撮像装置１の持ち運び性を向上させることができる。また、当該ネジ８は、イーリング１１によって絞り部７に対して回転可能に保持されている。
【００１９】
また、ベルト係合部４は撮像装置本体３に備えるくり抜き穴の側壁間を架橋するように構成されている。グリップベルト兼ハンドストラップ装置２は、くり抜き穴とベルト係合部４との間の空隙に本体固定部４１を通し、本体固定部４１の輪中にネジ８及び絞り部７を中抜けさせることで固定されている。なお、撮像装置本体３とグリップベルト兼ハンドストラップ装置２との固定は、本体固定部４１を撮像装置本体３の内部に係合固定する構成であってもよい。ただし、当該構成では、例えばグリップベルト兼ハンドストラップ装置２が、何らかの力が印加されることで切れる等の場合にグリップベルト兼ハンドストラップ装置２を取り替えることが困難であるため、本実施形態の係合固定の構成が好ましい。
【００２０】
次に図３Ａ、図３Ｂを用いてネジ８の詳細について説明する。図３Ａはネジ８の斜視図であり、図３Ｂはネジ８の断面図である。ネジ８は、雄ネジ部１３と雌ネジ部１５と胴部４３とイーリング係合部４２とを有している。雄ネジ部１３は、撮像装置本体３に設けられた本体雌ネジ部５に螺合する。また、雌ネジ部１５は、三脚２１（図５等参照）に設けられた雄ネジに螺合する。また、絞り部７は中央部に雄ネジ部１３が貫通する貫通孔を有し、雄ネジ部１３が貫通孔を貫通したネジ８は、イーリング係合部４２にイーリング１１が係合することによって、絞り部７に対して回転自在に固定される。なお、本実施形態ではネジ８を絞り部に対し回転可能に保持する構成としてイーリング１１を用いた例を示したが、例えばカシメ等であってもよい。
【００２１】
雄ネジ構成部１７は雌ネジ構成部１６を内包する孔部３３及び凹部３９を有している。雌ネジ部１５の螺合軸と雄ネジ部１３の螺合軸とが同一になるように、雌ネジ構成部１６の凸部３８と雄ネジ構成部１７の凹部３９とは嵌合する。嵌合した雌ネジ構成部１６と雄ネジ構成部１７とは、結合用ネジ１８で結合されている。本実施形態では、雄ネジ構成部１７は樹脂製で、雌ネジ構成部１６は金属製である。このように、撮像装置本体３の本体雌ネジ部５に螺合する雄ネジ部１３は樹脂からなるため、撮像装置本体にネジ８を螺合しても撮像装置本体３を傷つけない。また、雌ネジ構成部１６を金属とすることにより、ネジ８の強度を上げることができる。なお、本実施形態では、雌ネジ構成部１６と雄ネジ構成部１７とを別体としたが、樹脂や金属で一体として成型すると、部品点数が削減できると共に結合ネジで雄ネジ部１７と雌ネジ部１６とを螺合固定する工数も削減できる。
【００２２】
次にグリップベルト兼ハンドストラップ装置２をグリップベルトとして用いた状態について図４を用いて説明する。ネジ８の雄ネジ部１３を撮像装置本体３の本体雌ネジ部５に螺合する。これによりグリップベルト兼ハンドストラップ装置２と撮像装置本体３の把持面４０との間に空間１９ができる。空間１９に、本体雌ネジ部５が設けられている撮像装置本体３の底面４５側から手を挿入し、挿入した手の平で撮像装置本体３の把持面４０を把持し、手の甲にグリップベルト兼ハンドストラップ装置２が係合することにより、グリップベルト兼ハンドストラップ装置２をグリップベルト状態で使用することができる。
【００２３】
この際、紐部６を絞り部７の筒部１０を通して方向２０若しくは方向３５の方向に移動することにより、撮像装置本体３を把持しているユーザーの手の大きさに合わせて、空間１９の広さを調節し、撮像装置１を手に固定密着させることができる。また、この際に撮像装置１を把持している手の親指で撮像装置本体３に設けられた撮影開始・停止ボタン４６を押圧することにより、ユーザーは撮像装置１を操作することができる。
【００２４】
なお、絞り部７の筒部１０の断面積を紐部６の断面の面積よりもやや小さく設計しておくことにより、一度調節した空間１９の大きさがユーザーの意図に反して変動することを抑制できる。
【００２５】
次に撮像装置１が三脚に固定されている状態について図５、図６Ａ、図６Ｂを用いて説明する。図５は撮像装置１が三脚に固定されている状態の斜視図、図６Ａはモニター２２を閉じた状態で撮像装置１を三脚に固定した側面図、図６Ｂはモニター２２が開いた状態の側面図である。雌ネジ部１５（図３Ｂ参照）に三脚２１が備える雄ネジを螺合することにより、図５のように、グリップベルト兼ハンドストラップ装置２が撮像装置本体３に螺合した状態で撮像装置１を三脚２１に固定することができる。また、撮像装置１を三脚２１に固定した状態で、撮像装置本体３のモニター２２の開閉を行い、映像を撮影することができる。このように撮像装置本体３と三脚２１（実際には三脚２１が備える雲台２４）との間にネジ８がスペーサーとして介在するため、モニター２２の開閉を容易に行うことができる。
【００２６】
モニター２２を開いた状態では、三脚２１の雄ネジに対して螺合固定する際に、この開いたモニター２２が使用者の手と干渉し、螺合し難い。従って、撮像装置を三脚に固定して撮影を開始する際には、通常モニターを閉じた状態で撮像装置を三脚に固定し、その後モニターを開き撮影を開始する。この時、図７に示したように例えば撮像装置本体３の小型化のためモニター２２の底面２３が撮像装置本体３の底面と面一に構成した場合には、モニター２２と雲台２４との間に摩擦が生じ、モニター２２の開閉を行うことができない。また、このような状態で無理矢理モニター２２の開閉を行おうとすると、モニター２２の底面２３を傷つけてしてしまう場合がある。
【００２７】
本実施の形態では、撮像装置本体３に設けられた本体雌ネジ部５の径は、三脚２１の雄ネジと螺合しない径としている。これにより、誤って三脚２１に撮像装置本体３を直接固定してしまうことがない。従って、モニター２２の底面２３と撮像装置本体３の底面とが面一の構成により、上述の小型化を図った撮像装置本体３であっても、図８Ａ、図８Ｂに示すように、モニター２２の開閉を自由に行うことができる。
【００２８】
次に図９を用いて、三脚２１から撮像装置本体３を取り外した状態について詳述する。撮像装置１をネジ８を介して三脚２１に固く固定している場合に、撮像装置１を三脚２１から取り外すべく、撮像装置本体３を三脚２１に対して回転させると、ネジ８と三脚２１とが外れる場合と撮像装置本体３がネジ８から外れる場合とがある。図９は、撮像装置１を三脚２１に固定した後に、三脚２１から撮像装置１を取り外した際に、撮像装置本体３とネジ８との螺合締結が解除され、三脚にネジ８が残っている状態の斜視図である。このように、ネジ８と三脚２１とが固く固定されている場合に、指でネジ８を握り、ネジ８を回転させることは、ネジ８に加える回転モーメントが小さいため、非常に困難である。
【００２９】
ネジ８を締結解除部材と係合させることで、螺合締結を容易に解除できる。本実施の形態では、締結解除部材としてスパナ９を適用した構成について説明する。スパナ９は、図１等に示すように、ハンドストラップ状態で用いる際に手首を挿通させる環３７の紐部６を、図１０に示す孔部１２に挿通させることで係合している。また、スパナ９にはネジ８の胴部４３（図３Ａ参照）に設けた窪み部１４に嵌合する締結解除部２５が設けられている。スパナ９の締結解除部２５とネジ８の窪み部１４との嵌合状態を図１１に示す。
【００３０】
図３Ａに示すように胴部４３における雌ネジ部１５の形成開始端面４８から締結解除部２５の厚みだけ窪み部１４を設け、スパナ９を設けるような構成をとることにより、スパナ９を三脚２１に残ったネジ８の窪み部１４に嵌合させた場合に、スパナ９の締結解除部２５が窪み部１４と三脚上面部４６（実際には雲台２４の上面部）との間に嵌り、締結解除部２５がネジ８の上下方向に安定挿着する。このため、スパナ９を回転する際にネジ８と締結解除部２５とが外れることなく容易にネジ８を回転することができる。また、スパナ９の締結解除部２５の長さを図１１に示すようにネジ８の窪み部１４を覆う程度の長さとすることにより、スパナ９のネジ８に対する係合長さが確保でき、ネジ８の締結解除効果をより向上させることができる。なお、窪み部１４が雄ネジ部１３を回転する胴部４３の高さ全長にわたって形成してもよい。なお、この構成では締結解除部２５と胴部４３との係合が上述の構成に比べ外れ易い。
【００３１】
なお、本実施の形態では、ネジ８の胴部４３に窪み部１４を設け、当該窪み部１４に係合部２５を係合させるような構成としたが、必ずしも胴部４３に窪み部１４を設ける必要はなく、図１４のように雄ネジ部１３とイーリング係合部４２との間に窪み部１４に相当する溝部を備える筒状部または図１４に示したような六角柱状部４４を備えてもよい。なお、六角柱状部４４を雄ネジ部１３とイーリング係合部４２との間に備える場合には、図１５のようにメガネレンチ４５も適用できる。メガネレンチ４５の係合部の内径は雄ネジ部１３の外径よりも大きくすることで、六角柱状部４４に係合させ、三脚に残ったネジ８を簡単に外すことができる。
【産業上の利用可能性】
【００３２】
本発明は、グリップベルトに代表される把持装置が搭載されている機器に有用であり、その応用範囲は、例えばビデオカメラやスチルカメラ等の撮像装置等のように、少なくともユーザーにより片手で保持される機器であれば有用である。
【図面の簡単な説明】
【００３３】
【図１】本発明の一実施形態における撮像装置の斜視図
【図２Ａ】同実施形態の撮像装置本体の斜視図
【図２Ｂ】同実施形態のグリップベルト兼ハンドストラップ装置の斜視図
【図３Ａ】同実施形態のネジの斜視図
【図３Ｂ】同実施形態のネジの断面図
【図４】同実施形態の撮像装置の斜視図
【図５】同実施形態の撮像装置を三脚に固定した斜視図
【図６Ａ】同実施形態におけるモニターを閉じた状態の側面図
【図６Ｂ】同実施形態におけるモニターを開いた状態の側面図
【図７】同実施形態における他の撮像装置を三脚に固定した側面図
【図８Ａ】同撮像装置を三脚に固定した状態におけるモニターを閉じた側面図
【図８Ｂ】同撮像装置のモニターを開いた側面図
【図９】三脚とネジとが螺合締結した状態の斜視図
【図１０】スパナの平面図
【図１１】スパナとネジとの嵌合状態の斜視図
【図１２】従来の撮像装置の斜視図
【図１３】同撮像装置の斜視図
【図１４】他の形態におけるネジの断面図
【図１５】メガネレンチ平面図
【符号の説明】
【００３４】
２  グリップベルト兼ハンドストラップ
３  撮像装置本体
６  紐部
７  絞り部
８  ネジ
２１  三脚
【図１】
2008216533.tif 000003
【図２Ａ】
2008216533.tif 000004
【図２Ｂ】
2008216533.tif 000005
【図３Ａ】
2008216533.tif 000006
【図３Ｂ】
2008216533.tif 000007
【図４】
2008216533.tif 000008
【図５】
2008216533.tif 000009
【図６Ａ】
2008216533.tif 000010
【図６Ｂ】
2008216533.tif 000011
【図７】
2008216533.tif 000012
【図８Ａ】
2008216533.tif 000013
【図８Ｂ】
2008216533.tif 000014
【図９】
2008216533.tif 000015
【図１０】
2008216533.tif 000016
【図１１】
2008216533.tif 000017
【図１２】
2008216533.tif 000018
【図１３】
2008216533.tif 000019
【図１４】
2008216533.tif 000020
【図１５】
2008216533.tif 000021